(57)【要約】【課題】陳列スペースの広狭に対する柔軟性が高く、タバコの銘柄の入れ替えと陳列場所の変更に迅速に対処できるタバコ陳列システムケースを得る。【解決手段】側板と分割底板とをそれぞれ有し、該分割底板を左右の側板の間隔を変化させる方向にスライド可能に結合した左右のトレイ半体を有するストレッチトレイ；このストレッチトレイの分割底板に形成された、該分割底板のスライド位置に拘わらず一直線状となる左右方向の底板ガイドレール；ストレッチトレイの分割底板上に左右方向に複数列収納される、タバコを縦列で収納するパックトレイ；上記パックトレイの底面に形成された、上記底板ガイドレールに対して着脱及び左右移動自在に嵌まるガイド係合部；上記左右の側板の下端部と上端部にそれぞれ形成した上下結合部；及び上記上下結合部を介して任意数上下方向に結合したストレッチトレイの最上部のストレッチトレイ上に結合する天板；を有する。【選択図】図１
0003163708.tif 000002
【実用新案登録請求の範囲】
【請求項１】
側板と分割底板とをそれぞれ有し、該分割底板を左右の側板の間隔を変化させる方向にスライド可能に結合した左右のトレイ半体を有するストレッチトレイ；
このストレッチトレイの分割底板に形成された、該分割底板のスライド位置に拘わらず一直線状となる左右方向の底板ガイドレール；
ストレッチトレイの分割底板上に左右方向に複数列収納される、タバコを縦列で収納するパックトレイ；
上記パックトレイの底面に形成された、上記底板ガイドレールに対して着脱及び左右移動自在に嵌まるガイド係合部；
上記左右の側板の下端部と上端部にそれぞれ形成した上下結合部；及び
上記上下結合部を介して任意数上下方向に結合したストレッチトレイの最上部のストレッチトレイ上に結合する天板；を有することを特徴とするタバコ陳列システムケース。
【請求項２】
請求項１記載のタバコ陳列システムケースにおいて、左右の側板の前後端面は、底部から上部にかけて後方に傾斜しており、上記側板の上下結合部は、該左右の側板の下端部と上端部の一方と他方に形成した、一つの上下結合部と、この一つの上下結合部に選択して結合される前後対結合部からなっているタバコ陳列システムケース。
【請求項３】
請求項２記載のタバコ陳列システムケースにおいて、上記上下結合部及び前後対結合部には、結合された上下結合部と前後対結合部とを固定する結合固定手段が設けられているタバコ陳列システムケース。
【請求項４】
請求項１ないし３のいずれか１項記載のタバコ陳列システムケースにおいて、左右の側板には、別のトレッチトレイの左右の側板を結合する結合手段が形成されているタバコ陳列システムケース。
【請求項５】
請求項１ないし４のいずれか１項記載のタバコ陳列システムケースにおいて、ストレッチトレイの分割底板には、左右位置を上記パックトレイの並列数に応じた間隔の複数位置に係止するクリックストップ機構が形成されているタバコ陳列システムケース。
【請求項６】
請求項１ないし５のいずれか１項記載のタバコ陳列システムケースにおいて、上記天板は、ストレッチトレイの左右の側板の間隔に応じて幅を変化させるストレッチ天板であるタバコ陳列システムケース。
【考案の詳細な説明】
【技術分野】
【０００１】
本考案は、タバコ陳列システムケースに関し、特にタバコを縦列に収納するパックトレイの左右方向及び上下方向（積み上げ方向）の数を任意に設定でき、該パックトレイの着脱及び左右スライドが自在なタバコ陳列システムケースに関する。
【背景技術】
【０００２】
例えばコンビニ店では、レジの近くにタバコを陳列することが多いが、陳列スペースは店（環境）によって区々である。また、タバコ特有の陳列上の問題点として、陳列するタバコの銘柄の入れ替えや陳列場所の変更（陳列態様の変更）を頻繁に行う点が挙げられる。
【考案の概要】
【考案が解決しようとする課題】
【０００３】
しかし従来のタバコ陳列ケースは、陳列スペースの広狭に対する柔軟性が低い。また、タバコの銘柄の入れ替え、陳列場所の変更は、従来タバコ単位で行わなければならず、煩雑な作業であった。
【０００４】
従って本考案は、陳列スペースの広狭に対する柔軟性が高いシステムケースであって、さらに、銘柄の入れ替えと陳列場所の変更に迅速に対処できるタバコ陳列システムケースを得ることを目的とする。
【課題を解決するための手段】
【０００５】
本考案によるタバコ陳列システムケースは、側板と分割底板とをそれぞれ有し、該分割底板を左右の側板の間隔を変化させる方向にスライド可能に結合した左右のトレイ半体を有するストレッチトレイ；このストレッチトレイの分割底板に形成された、該分割底板のスライド位置に拘わらず一直線状となる左右方向の底板ガイドレール；ストレッチトレイの分割底板上に左右方向に複数列収納される、タバコを縦列で収納するパックトレイ；上記パックトレイの底面に形成された、上記底板ガイドレールに対して着脱及び左右移動自在に嵌まるガイド係合部；上記左右の側板の下端部と上端部にそれぞれ形成した上下結合部；及び上記上下結合部を介して任意数上下方向に結合したストレッチトレイの最上部のストレッチトレイ上に結合する天板；を有することを特徴としている。
【０００６】
本考案のタバコ陳列システムケースにおいて、その一態様では、左右の側板の前後端面は、底部から上部にかけて後方に傾斜している。この態様においては、ストレッチトレイの左右の側板の上下結合部は、該左右の側板の下端部と上端部の一方と他方に形成した、一つの上下結合部と、この一つの上下結合部に選択して結合される前後対結合部から構成することができる。
【０００７】
上下結合部及び前後対結合部には、結合された上下結合部と前後対結合部を固定する結合固定手段を形成することが好ましい。
左右の側板には、左右に位置する別のストレッチトレイの側板を結合する結合手段を形成するのがよい。
【０００８】
ストレッチトレイの分割底板には、左右位置を上記パックトレイの並列数に応じた間隔の複数位置に係止するクリックストップ機構を形成することが望ましい。パックトレイの並列数は、３個から５個程度とするのが実際的である。
【０００９】
天板は、左右のストレッチトレイの側板の間隔に応じて幅を変化させるストレッチ天板とすることができる。
【考案の効果】
【００１０】
本考案のタバコ陳列システムケースは、ストレッチトレイの左右の側板の間隔及び上下方向の積み重ね数を選択することにより、陳列スペースの広狭に柔軟に対応できる。また、ストレッチトレイの左右の分割底板上には一直線状に位置する底板ガイドレールが形成されており、タバコを縦列に収納するパックトレイは、この底板ガイドレールに対して着脱及び左右移動自在に嵌まるガイド係合部を有しているから、パックトレイを着脱して行うタバコの銘柄の入れ替えと陳列位置の変更、及びパックトレイを底板ガイドレールから外すことなく左右移動させることで行う陳列位置の変更を任意に適宜組み合わせて行うことができるので、タバコの陳列態様の変更に迅速に対応することができる。
【図面の簡単な説明】
【００１１】
【図１】本考案によるタバコ陳列システムケースの実施形態の使用状態を示す斜視図であって、実施形態を構成するストレッチトレイを、（Ａ）はパックトレイ５個分の幅に、（Ｂ）はパックトレイ４個分の幅に、（Ｃ）は３個分の幅に設定してそれぞれ６段分積み重ねた斜視図である。
【図２】同実施形態における一単位のストレッチトレイ、ストレッチ天板、化粧板を組み立てる前の分解斜視図である。
【図３】同ストレッチトレイの平面図であって、（Ａ）は３個分の幅に設定した状態を示す図、（Ｂ）は５個分の幅に設定した状態を示す図である。
【図４】同ストレッチトレイの左トレイ半体の平面図である。
【図５】同ストレッチトレイの左トレイ半体の底面図である。
【図６】図４の切断線VI-VIに沿う左トレイ半体の断面図である。
【図７】同ストレッチトレイの右トレイ半体の平面図である。
【図８】同ストレッチトレイの右トレイ半体の底面図である。
【図９】図７の切断線IX-IXに沿う右トレイ半体の断面図である。
【図１０】同ストレッチ天板の左天板半体の平面図である。
【図１１】同ストレッチ天板の左天板半体の底面図である。
【図１２】同ストレッチ天板の右天板半体の平面図である。
【図１３】同ストレッチ天板の右天板半体の底面図である。
【図１４】同ストレッチトレイの上にストレッチ天板を結合した状態の縦断面図である。
【図１５】同ストレッチトレイを傾斜結合し、最上部のストレッチトレイの上にストレッチ天板を結合した状態で化粧板を装着する前の右側面図である。
【図１６】同ストレッチトレイを垂直結合し、最上部のストレッチトレイの上にストレッチ天板を結合した状態で化粧板を装着する前の左側面図である。
【図１７】同ストレッチトレイの左右トレイ半体及びストレッチ天板の左右天板半体に装着される雌レールと雄レールの斜視図である。
【図１８】同ストレッチトレイに収容されるパックトレイの斜視図である。
【図１９】同ストレッチトレイの左トレイ半体の側板外面に着脱される化粧板の正面図である。
【図２０】図１９の切断線XX-XXに沿う断面図である。
【考案を実施するための形態】
【００１２】
図１ないし図２０を参照して、本考案によるタバコ陳列システムケース１００の一実施形態を説明する。以下の説明中の上下方向、左右方向、前後方向は、図中に示した矢印方向を意味する。本実施形態のタバコ陳列システムケース１００は、任意数上下方向に結合したストレッチトレイ１０と、最上部のストレッチトレイ１０の上に結合したストレッチ天板２０からなっている（図１）。
【００１３】
各ストレッチトレイ１０は、図２、図１８に示すパックトレイ３０を３個、４個または５個左右方向に並列に収納するようにその幅を変更できる。図１（Ａ）、（Ｂ）、（Ｃ）は、パックトレイ３０を５個、４個、３個並列に収納可能に設定したタバコ陳列システムケース１００を示している。合成樹脂材料の成形品からなるパックトレイ３０は、タバコＴを個別に縦列に収納する形状に形成されている。パックトレイ３０の具体的構造は問わない。図示例のパックトレイ３０は、前後方向に長い縦長の上方開放ケース３１内に位置させた押圧板３２を図示しない弾性部材により前方に移動付勢した構造である。前方のタバコＴが除かれると、後方のタバコＴが押圧板３２によって前方に押し出される。上方開放ケース３１の底面の前端部には、前端に位置するたばこＴの底部を他のたばこＴよりも一段持ち上げるリフト手段（図示略）が設けてある。上方開放ケース３１の底部には前後左右４箇所にガイド突起（ガイド係合部）３３が突設されている。これらのガイド突起３３は、パックトレイ３０がストレッチトレイ１０に収容されたときに、前後移動を規制し、左右方向にスライド移動可能とする。
【００１４】
ストレッチトレイ１０は、左右で対をなす左トレイ半体１０Ａと右トレイ半体１０Ｂとからなる（図２、図３）。左トレイ半体１０Ａは、直立した側板１１Ａと、この側板１１Ａに直交させて結合した分割底板１２Ａを有する。同様に右トレイ半体１０Ｂは、直立した側板１１Ｂと、この側板１１Ｂに直交させて結合した分割底板１２Ｂとを有する。
【００１５】
分割底板１２Ａと１２Ｂは、側板１１Ａと１１Ｂの間隔（距離）が変化する左右方向に、スライド可能に結合されている。すなわち、分割底板１２Ａの下面には、その左右方向に前後対で延びるレール収納凹部１５Ａが形成されていて、このレール収納凹部１５Ａ内にそれぞれ、金属製（または合成樹脂製）の雌レール１３がねじ固定されている。また分割底板１２Ａの下に位置する分割底板１２Ｂの上面には、レール収納凹部１５Ａと対をなす前後のレール収納凹部１５Ｂが形成されていて、このレール収納凹部１５Ｂ内にそれぞれ、雌レール１３と摺動自在に係合する合成樹脂製（または金属製）の雄レール１４がねじ固定されている。
【００１６】
雌レール１３は、図１７に示したように、長方形の長辺の一方の中央部が欠けて、残った部分が対向するリップ部１３ａとなる略Ｃ字断面形状に形成されており、両リップ部１３ａの間に形成されたスリット（隙間）１３ｂと、該スリット１３ｂに連なり、スリット１３ｂよりも幅広の空間部１３ｃとを有する。また、雄レール１４は、横長の頭部１４ａと、頭部１４ａの中央部分から直交方向に延びた脚部１４ｂとを有するＴ字断面形状に形成されており、雌レール１３の端部開口側から、頭部１４ａと脚部１４ｂが空間部１３ｃとスリット１３ｂに位置合わせされた状態で、スライド方向に挿入される。
【００１７】
分割底板１２Ａと分割底板１２Ｂには、さらに、パックトレイ３０のガイド突起３３と係合する底板ガイドレールを構成する左右方向に延びる前後対の底板ガイド凹部１６Ａ１（図５、図６）と底板ガイド凹部１６Ｂ（図７、図９）が形成されている。底板ガイド凹部１６Ａ１は、下方に凸の底板ガイド凸部１６Ａの反対側（上面）に形成されたものであり、これらの底板ガイド凸部１６Ａと底板ガイド凹部１６Ｂとが左右方向スライド自在に嵌合されている（図１４）。これらの底板ガイド凹部１６Ａ１（底板ガイド凸部１６Ａ）と底板ガイド凹部１６Ｂは、側板１１Ａと１１Ｂの間隔を変化させても、分割底板１２Ａ、１２Ｂのスライド位置に拘わらず一直線状となる左右方向の底板ガイドレールを構成し(図３)、パックトレイ３０のガイド突起３３が係合し（図１４）、パックトレイ３０の前後方向移動を規制すると共に、左右には移動自在にガイドする前後移動規制及び左右スライドガイド部材として機能する。
【００１８】
分割底板１２Ａと１２Ｂには、側板１１Ａと１１Ｂがパックトレイ４個間隔と５個間隔のときに働くクリックストップ機構が備えられている。このクリックストップ機構は、分割底板１２Ｂに一体に形成した弾性片１７Ｂ１及び弾性片１７Ｂ１に設けた突起１７Ｂ２と（図７）、分割底板１２Ａに左右方向に間隔を空けて穿設した、突起１７Ｂ２が嵌合離脱し得るクリック穴１７Ａ１と１７Ａ２とからなっている（図３、図４）。弾性片１７Ｂ１は、分割底板１２ＢにＵ字形状の貫通溝を形成して、このＵ字形状の貫通溝で囲まれた舌片状部分により分割底板１２Ｂと一体に形成されており、この弾性片１７Ｂ１上の突起１７Ｂ２は、側板１１Ａと１１Ｂの間隔がパックトレイ４個間隔または５個間隔になったときに、クリック穴１７Ａ１または１７Ａ２に嵌合する。
【００１９】
分割底板１２Ａと分割底板１２Ｂには、加えて、離脱防止構造が設けられている。すなわち、分割底板１２Ａには、前後対の底板ガイド凹部１６Ａ１の間に、底板ガイド凹部１６Ａ１と平行にガイド長穴１７Ａ３が形成されている（図３、図４）。このガイド長穴１７Ａ３には、分割底板１２Ｂにねじを介して軸支されたストッパローラ１７Ｂ３が、相対移動自在に嵌っている（図７、図１４）。このストッパローラ１７Ｂ３は、分割底板１２Ａと１２Ｂが左右方向スライドし、側板１１Ａと１１Ｂの間隔がパックトレイ３個間隔または５個間隔になったときに、ガイド長穴１７Ａ３の左右方向いずれかの端部に当接して、側板１１Ａと１１Ｂをパックトレイ３個間隔または５個間隔に位置決めし、かつ両底板の離脱を防止する。
【００２０】
分割底板１２Ｂの上面には、側板１１Ａと１１Ｂの間隔がパックトレイ４個間隔または５個間隔であることを識別するマーカー突起１７Ｂ４と１７Ｂ５が形成されている(図７)。マーカー突起１７Ｂ４と１７Ｂ５は、前後対の底板ガイド凹部１６Ｂの間に、側板１１Ｂと平行に形成されている。マーカー突起１７Ｂ４は、側板１１Ａと１１Ｂの間隔がパックトレイ４個間隔になったときに分割底板１２Ａの下面縁部等と接触して軽い抵抗となるように膨出（レリーフ状に）形成することが好ましい（図３（Ｂ））。マーカー突起１７Ｂ４と１７Ｂ５の近傍には、マーカー突起１７Ｂ４と１７Ｂ５がパックトレイ４個間隔、５個間隔の位置決め目印であることを示す三角マーク及び数字が膨出形成されている。
【００２１】
側板１１Ａと１１Ｂは、側面視略平行四辺形に形成された平板状であって、前端面１１Ａ１と１１Ｂ１、後端面１１Ａ２と１１Ｂ２となる斜辺が、底辺から上辺に向かって後方に傾斜している（図６、図９）。側板１１Ａと１１Ｂは、略平行四辺形に形成された平板部の各辺から、対向する側板１１Ａと１１Ｂとは反対方向にフランジ状部分が延設されていて、このフランジ状部分により側板１１Ａと１１Ｂの前、後端面１１Ａ１、１１Ａ２と１１Ｂ１、１１Ｂ２及び上端部及び下端部が形成されている。
【００２２】
側板１１Ａと１１Ｂの上端部には上下結合部として、前後方向に所定間隔で３つの上下結合突起１８Ａと１８Ｂが突設され、下端部には、この上下結合突起１８Ａと１８Ｂと選択係合する上下結合部として、前後対結合凹部１８Ａ１、１８Ａ２と１８Ｂ１、１８Ｂ２が前後方向に所定間隔で３組形成されている（図３ないし図９）。側板１１Ａと１１Ｂの上端部に形成された上下結合突起１８Ａと１８Ｂ、及び下端部に形成された前後対結合凹部１８Ａ１、１８Ａ２と１８Ｂ１、１８Ｂ２が、上下のストレッチトレイ１０、１０を結合する上下結合部を構成している。また、側板１１Ａと１１Ｂの上端部、下端部には、化粧板４０Ａと４０Ｂを着脱自在に装着するための係合穴１８Ａ３、１８Ａ４と１８Ｂ３、１８Ｂ４が、前後方向に複数個形成されている。
【００２３】
各側板１１Ａ、１１Ｂの上下結合突起１８Ａ、１８Ｂを他のストレッチトレイ１０の側板１１Ａ、１１Ｂの前方の前後対結合凹部１８Ａ１、１８Ｂ１に結合すると、図１、図１５に示したように、前後端面１１Ａ１と１１Ｂ１、１１Ａ２と１１Ｂ２が側面視直線状になり、底部から上部にかけて後方に傾斜した状態で傾斜結合される。図１５は、側板１１Ａの上下結合突起１８Ａを上方の側板１１Ａの前方の前後対結合凹部１８Ａ１に結合して傾斜結合した様子を、左側面図として示している。複数のストレッチトレイ１０を、上下結合突起１８Ａ、１８Ｂを前方の前後対結合凹部１８Ａ１、１８Ｂ１に結合して積み重ねると（傾斜連結により積層すると）、図１に示したように、各ストレッチトレイ１０に収容したパックトレイ３０の前部が上下方向に階段状に並ぶ。したがって最下段から最上段に渡って、パックトレイ３０に収納した最前列のタバコＴが階段状に並ぶので視認性がよく、上方からの取り出しが容易になる。
【００２４】
各側板１１Ａと１１Ｂの上下結合突起１８Ａと１８Ｂを上方の側板１１Ａと１１Ｂの後方の前後対結合凹部１８Ａ２と１８Ｂ２に結合すると、前後端面１１Ａ１と１１Ｂ１、１１Ａ２と１１Ｂ２が側面視段々状になるが、重心は同一の鉛直線上に位置する。図１６は、側板１１Ｂの上下結合突起１８Ｂを上方の側板１１Ｂの後方の前後対結合凹部１８Ｂ２に結合して垂直結合した様子を、右側面図として示している。このように複数のストレッチトレイ１０を、上下結合突起１８Ａ、１８Ｂを後方の前後対結合凹部１８Ａ２、１８Ｂ２に結合して積み重ねると（垂直結合により積層すると）、各ストレッチトレイ１０の重心が同一鉛直線上に位置するので、後方に倒れ難くなる。
【００２５】
以上の実施形態ではストレッチトレイ１０の上下結合突起１８Ａと１８Ｂを上方のストレッチトレイ１０の前方の前後対結合凹部１８Ａ１と１８Ｂ１、または後方の前後対結合凹部１８Ａ２と１８Ｂ２に同一の規則性によって結合して積み重ねたが、傾斜結合と垂直結合とを組み合わせて積み重ねてもよい。
【００２６】
なお、前後対結合凹部１８Ａ１、１８Ａ２及び前後対結合凹部１８Ｂ１、１８Ｂ２は、側板１１Ａ、１１Ｂの下端部外側面に一体に形成されたブロック部１９Ａ１、１９Ａ２及び１９Ｂ１、１９Ｂ２に形成されている。また、図１５、図１６において側板１１Ａ、１１Ｂの外面に縦横に碁盤目状に表れた部分は側板１１Ａ、１１Ｂの平板部に突設形成されたリブである。これらは、軽量化と強度確保のための構造である。
【００２７】
また、上下結合突起１８Ａ、１８Ｂ、及びブロック部１９Ａ１、１９Ａ２、１９Ｂ１、１９Ｂ２には、上下に結合された別の側板１１Ａと１１Ａ、側板１１Ｂと１１Ｂとを固定する上下の結合固定手段を構成するねじ挿通穴１８ａと１８ｂ、及びねじ挿通穴１９ａと１９ｂが形成されている（図６、図９、図１５、図１６）。上下結合突起１８Ａと１８Ｂを前方の前後対結合凹部１８Ａ１と１８Ｂ１または後方の前後対結合凹部１８Ａ２と１８Ｂ２に挿入結合させた後に、ねじをねじ挿通穴１９ａと１８ａ、またはねじ挿通穴１９ｂと１８ｂを貫通させて、貫通したねじの先端部にナットを螺合させて締結することにより、上下の側板１１Ａと１１Ａ、１１Ｂと１１Ｂとを上下方向に離反しないように固定することができる。
【００２８】
さらに左右の側板１１Ａ、１１Ｂには、別のストレッチトレイ１０の左右の側板１１Ａ、１１Ｂを結合するための結合手段として、２個の結合ボルト穴１１ａと１１ｂが形成されている（図６、図９、図１５、図１６）。ストレッチトレイ１０とその横位置に配置されたストレッチトレイ１０の隣り合う側板１１Ａ、１１Ｂの結合ボルト穴１１ａと１１ｂにボルトを貫通させてナット締めして、左右のストレッチトレイ１０の側板１１Ａと１１Ｂとを結合固定することができる。
【００２９】
ストレッチ天板２０について、図１０ないし図１４を参照して説明する。ストレッチ天板２０は、ストレッチトレイ１０の幅（側板１１Ａと１１Ｂの間隔）に合わせて幅を調整することができる構造である。
【００３０】
左天板半体２０Ａは、直立した天板側板２１Ａと、この天板側板２１Ａに直交させて結合した天板分割底板２２Ａと、天板側板２１Ａ及び天板分割底板２２Ａに直交する背板２３Ａとを有する。同様に右天板半体２０Ｂは、直立した天板側板２１Ｂと、この天板側板２１Ｂに直交させて結合した天板分割底板２２Ｂと、天板側板２１Ｂ及び天板分割底板２２Ｂに直交する背板２３Ｂとを有する。
【００３１】
天板分割底板２２Ａと２２Ｂは、天板側板２１Ａと２１Ｂの間隔が変化する左右スライド可能に結合されている。その結合は、ストレッチトレイ１０の分割底板１２Ａと１２Ｂの結合と同様である。すなわち、天板分割底板２２Ａには、下面に形成された前後対の左右方向に延びた各レール収納凹部２５Ａ内に雌レール１３がねじ止めされ、天板分割底板２２Ｂの上面には、左右方向に延びた前後対のガイド溝２５Ｂ内に雄レール１４がねじ止め固定されている。そしてこれらの雌レール１３、雄レール１４が左右方向スライド自在に嵌合されて、天板側板２１Ａと２１Ｂの間隔が可変に形成されている（図１４）。天板側板２１Ａと２１Ｂの間隔は、側板１１Ａと１１Ｂの間隔に合わせて調整されるものである（図１）。
【００３２】
天板分割底板２２Ａには、前後対のレール収納凹部２５Ａの間にこれらと平行にガイド長穴１７Ａ３が形成されている。このガイド長穴２７Ａ３には、天板分割底板２２Ｂにねじを介して軸支されたストッパローラ２７Ｂ３が、相対移動自在に嵌る。そしてこのガイド長穴２７Ａ３とストッパローラ２７Ｂ３とは、ガイド長穴１７Ａ３とストッパローラ１７Ｂ３と同様に、天板側板２１Ａと２１Ｂの間隔がパックトレイ３個間隔または５個間隔になったときの位置規制部材及び天板分割底板２２Ａと２２Ｂ（雌レール１３と雄レール１４）の係合が外れないようにする離脱防止機構として機能する。
【００３３】
左右の天板分割底板２２Ａと２２Ｂには、パックトレイ４個間隔と５個間隔のときに働くクリックストップ機構として、右の天板分割底板２２Ｂには弾性片２７Ｂ１と弾性片２７Ｂ１が設けられ、左の天板分割底板２２Ａには突起２７Ｂ２が嵌合離脱し得るクリック穴２７Ａ１と２７Ａ２が設けられている。これらは、分割底板１２Ａ、１２Ｂのクリックストップ機構と同様の構成である。
【００３４】
右の天板分割底板２２Ｂには、天板分割底板２２Ａ、２２Ｂが左右にスライドしたときに、天板側板２１Ａ、２１Ｂの間隔がパックトレイ４個間隔または５個間隔になったことの識別を容易にするためのマーカー突起２７Ｂ４と２７Ｂ５、三角マーク及び数字が形成されている。これらのマーカー突起２７Ｂ４と２７Ｂ５は、ストレッチトレイ１０のマーカー突起１７Ｂ４、１７Ｂ５と同様の形状、機能を有する。
【００３５】
天板側板２１Ａと２１Ｂは、側面視、前が低く、後方に向かって高くなる三角形形状を呈している（図１５、図１６）。背板２３Ａと２３Ｂは、天板分割底板２２Ａと２２Ｂの後端部から直立して、左右端部が天板側板２１Ａと２１Ｂと直交する方向に連なっている。
【００３６】
天板側板２１Ａと２１Ｂの下端部には、ストレッチトレイ１０の上下結合突起１８Ａと１８Ｂが結合される上下結合凹部２８Ａと２８Ｂが、各上下結合突起１８Ａと１８Ｂと対応する位置に形成されている（図１１、図１３）。
【００３７】
以上のストレッチ天板２０は、装着するストレッチトレイ１０の幅に合わせて幅が調整され、最上部のストレッチトレイ１０の上下結合突起１８Ａと１８Ｂに、上下結合凹部２８Ａと２８Ｂを結合させて装着される。このようにストレッチ天板２０は、装着するストレッチトレイ１０の幅に合わせて幅調整が容易にできるので、一組のストレッチ天板２０を用意すれば、ストレッチトレイ１０の異なる幅に簡単に対応させることができる。
【００３８】
なお、天板は、ストレッチトレイ１０が調整可能な各幅に合わせて複数種用意してもよい。天板をストレッチトレイ１０の調整可能な各幅に合わせて形成することにより、それぞれの天板の装飾性、継ぎ目無しなど、を高めることも容易になる。
【００３９】
側板１１Ａと１１Ｂの外側面には、化粧板４０Ａと４０Ｂが着脱自在に装着される（図１、図２）。化粧板４０Ａと４０Ｂは、タバコ陳列システムケース１００の外観を装飾するものであり、装飾形状、模様は任意である。化粧板４０Ａと４０Ｂは色の付与、形状加工が容易な合成樹脂によって形成することが好ましい。化粧板４０Ａと４０Ｂには、タバコＴのブランド等を表示するブランドプレート５１Ａと５１Ｂが着脱自在に装着される。ストレッチトレイ１０の分割底板１２Ａと１２Ｂの前端面には、任意の色、模様からなる装飾用カラープレート５２Ａと５２Ｂが着脱自在に貼り付けられる。
【００４０】
化粧板４０Ａと４０Ｂは、基本形状が対称なので、一方の化粧板４０Ａについて、図１９及び図２０を参照して説明する。なお、図１９は、化粧板４０Ａ単体としては正面図となるが、使用状態ではタバコ陳列システムケース１００の左側面となる。
【００４１】
化粧板４０Ａの輪郭は、側板１１Ａに装着したときに側板１１Ａの輪郭とほぼ同一とになる平行四辺形である。化粧板４０Ａの前縁部及び上下縁部には面取り加工が施されている。化粧板４０Ａの外面には、装飾として、横方向（前後方向）に延びる凹凸を上下方向に一定間隔で多数有する装飾４１Ａを形成してある。
【００４２】
化粧板４０Ａの上縁部と下縁部には、係合フック４２Ａが４個ずつ所定間隔で、装飾４１Ａとは反対方向に突設されている。係合フック４２Ａと４３Ａは、板ばね部４２Ａ１と４３Ａ１の先端部に突起（フック部）４２Ａ２と４３Ａ２を備えている。これらの係合フック４２Ａと４３Ａは、側板１１Ａを、突起４２Ａ２と４３Ａ２が側板１１Ａの上下端部の間に位置するようにして嵌め込まれたときに、板ばね部４２Ａ１と４３Ａ１のばね力により突起４２Ａ２と４３Ａ２が対応する係合穴１８Ａ３と１８Ａ４に係合して、側板１１Ａに固定される。右側の化粧板４０Ｂは、左側の化粧板４０Ａとほぼ対称の形状、構造であり、化粧板４０Ａを側板１１Ａに装着するのと同様にして側板１１Ｂに装着される。化粧板４０Ａと４０Ｂの形状、模様は図示実施例に限定されないことはいうまでもない。
【００４３】
ブランドプレート５１Ａと５１Ｂは、化粧板４０Ａと４０Ｂに着脱自在に形成して、タバコＴの銘柄の入れ替えに容易に対応させることが好ましい。
【００４４】
本実施形態のタバコ陳列システムケース１００は、適当な数のストレッチトレイ１０とストレッチ天板２０を組み合わせて、図１（Ａ）、（Ｂ）、（Ｃ）に例示したように積層結合され、タバコＴを収納したパックトレイ３０のガイド突起３３を各ストレッチトレイ１０の底板ガイド凹部１６Ａ１と底板ガイド凹部１６Ｂ（底板ガイドレール）に係合させて用いる。従って、例えばコンビニ店のタバコ陳列スペースに応じた面積、高さに容易に適応させることができる。そして、タバコＴを補充するとき、あるいは陳列態様を変更する際には、パックトレイ３０を底板ガイドレールから外すことができる。またパックトレイ３０をストレッチトレイ１０から外すことなく、底板ガイドレールに沿って左右方向に移動させることで、陳列態様を変更することもできる。
【００４５】
以上の実施形態では、並列させるパックトレイ３０の数に応じて調整可能なストレッチトレイ１０の幅を、パックトレイ３０が３個ないし５個並列収納できる幅としたが、本考案は、パックトレイ２個ないし３個、または４個ないし７個並列収納できる幅に設定するなど、任意に設定することができる。
【００４６】
また以上の実施形態では、ストレッチトレイ１０の左右の分割底板１２Ａ、１２Ｂをスライド可能に結合するため、雌レール１３と雄レール１４を用いたが、別体としてのレールを用いることなく、分割底板自体にレール部分を一体成形することも可能である。さらに、以上の実施形態では、パックトレイ３０のガイド係合部を突起（ガイド突起３３）とし、ストレッチトレイ１０の底板ガイドレールをガイド凹部（底板ガイド凹部１６Ａ１、１６Ｂ）としたが、この凹凸関係は逆にし、パックトレイのガイド係合部を凹部とし、底板ガイドレールを凸部としてもよい。
【符号の説明】
【００４７】
１０  ストレッチトレイ
１０Ａ  左トレイ半体
１０Ｂ  右トレイ半体
１１Ａ  １１Ｂ  側板
１１Ａ１  １１Ａ２  前後端面
１１Ｂ１  １１Ｂ２  前後端面
１２Ａ  １２Ｂ  分割底板
１３  雌レール
１４  雄レール
１５Ａ  レール収納凹部
１５Ｂ  ガイド溝
１６Ａ  底板ガイド凸部
１６Ａ１  底板ガイド凹部（底板ガイドレール）
１６Ｂ  底板ガイド凹部（底板ガイドレール）
１７Ａ１  １７Ａ２  クリック穴
１７Ｂ１  弾性片
１７Ｂ２  突起
１７Ｂ３  ストッパローラ
１７Ｂ４  １７Ｂ５  マーカー突起
１８Ａ  １８Ｂ  上下結合突起
１８Ａ１  １８Ａ２  前後対結合凹部
１８Ｂ１  １８Ｂ２  前後対結合凹部
２０  ストレッチ天板
２０Ａ  左天板半体
２０Ｂ  右天板半体
２１Ａ  ２１Ｂ  天板側板
２２Ａ  ２２Ｂ  天板分割底板
２３Ａ  ２３Ｂ  背板
２５Ａ  レール収納凹部
２５Ｂ  ガイド溝
２７Ａ１  ２７Ａ２  クリック穴
２７Ｂ１  弾性片
２７Ｂ２  突起
３０  パックトレイ
３１  上方開放ケース
３２  押圧板
３３  ガイド突起（ガイド係合部）
４０Ａ  ４０Ｂ  化粧板
４１Ａ  ４１Ｂ  装飾
４２Ａ  ４３Ａ  係合フック
４２Ａ１  ４３Ａ１  板ばね部
４２Ａ２  ４３Ａ２  突起
１００  タバコ陳列システムケース
【図１】
0003163708.tif 000003
【図２】
0003163708.tif 000004
【図３】
0003163708.tif 000005
【図４】
0003163708.tif 000006
【図５】
0003163708.tif 000007
【図６】
0003163708.tif 000008
【図７】
0003163708.tif 000009
【図８】
0003163708.tif 000010
【図９】
0003163708.tif 000011
【図１０】
0003163708.tif 000012
【図１１】
0003163708.tif 000013
【図１２】
0003163708.tif 000014
【図１３】
0003163708.tif 000015
【図１４】
0003163708.tif 000016
【図１５】
0003163708.tif 000017
【図１６】
0003163708.tif 000018
【図１７】
0003163708.tif 000019
【図１８】
0003163708.tif 000020
【図１９】
0003163708.tif 000021
【図２０】
0003163708.tif 000022